(57)【要約】      （修正有）【課題】水素酸素混合ガス燃焼バーナーを提供する。【解決手段】外部の酸素が流入されないように水素酸素混合ガスが供給されるガスラインＬと、密封された構造で連結されるものであり、全体的に円筒状を成す本体部１１と、本体部１１の上端の縁に沿って勾配が枠状に形成された燃焼部１２と、燃焼部の勾配に一定の間隔を成して形成される複数の火口ホール１３と、及び本体部１１の内部に形成されるものであって、ラインＬを介して流入される水素酸素混合ガスを火口ホール１３に分配する分配部とを含む。【選択図】図３
2010019545.tif 000002
【特許請求の範囲】
【請求項１】
外部の酸素が流入されないように水素酸素混合ガスが供給されるガスライン（Ｌ）と密封された構造で連結されるものであり、全体的に円筒状を成す本体部１１と、
上記本体部１１の上端の縁に沿って勾配が枠状に形成された燃焼部１２と、
上記燃焼部の勾配に一定の間隔を成して形成される複数の火口ホール１３と、
上記本体部１１の内部に形成されるものであって、上記ガスライン（Ｌ）を介して流入される水素酸素混合ガスを上記火口ホール１３に分配する分配部１４と、及び
上記本体部１１の上部に設けられるものであって、所定の火口ホール１３で燃焼される燃焼火花が他の火口ホールに噴射される混合ガスを着火することができるように媒介の役目をする着火媒体キャップ１７と、を含めて、
上記火口ホール１３の直径は０．２ｍｍ〜２ｍｍの範囲であることを特徴とする水素酸素混合ガス燃焼バーナー。
【請求項２】
上記本体部１１及び燃焼部１２は一体になっていて、ステンレス、タングステン、非鉄金属、および合金鋼で構成された群のうち、いずれか一つを加工して具現されたことを特徴とする請求項１に記載の水素酸素混合ガス燃焼バーナー。
【請求項３】
上記本体部１１の下部側に形成されてガス器具の上板に形成された貫通孔（Ｇ１）にかけられる係止部１６が形成されたことを特徴とする請求項１または２に記載の水素酸素混合ガス燃焼バーナー。
【請求項４】
上記火口ホール１３は、中心軸を基準とした時５゜〜９０゜の角度範囲内に形成されたことを特徴とする請求項１から３の何れか１項に記載の水素酸素混合ガス燃焼バーナー。
【発明の詳細な説明】
【技術分野】
【０００１】
本発明は水から生成された水素酸素混合ガスの燃焼火花を容器を加熱するのに使用できるようにガス器具に適用することができる水素酸素混合ガス燃焼バーナーに関するものである。
【背景技術】
【０００２】
水素酸素混合ガス発生装置は、水が電気分解されて得られる生成物である水素及び酸素を生産するための装置であって、正（＋）及び負（−）電極が設けられた電解槽内に少量の電解物質が添加された水を供給し、直流電圧を印加することによって無公害エネルギー源である水素酸素混合ガスを発生する。この際発生される水素と酸素は２：１のモル比に発生されて、−電極表面に水素が気泡形態に生成され、＋電極表面に酸素が気泡形態に生成される。このように生成された水素と酸素は混合して混合ガス形態になり燃焼が可能である。また水素酸素混合ガスは、燃焼時汚染物質が生成しないので環境に優しいエネルギー源として新しく浮き彫りにされている。
【０００３】
この際、水素酸素混合ガス発生装置において生成される混合ガスが燃消する時、混合ガス自体に酸素が含まれていて、また混合ガスが燃焼され副産物が水が生成される間に体積が減るようになるので、水素酸素混合ガスの燃焼火花は一般的な燃焼火花とは異なって狭い棒形状を成すようになる。また水素酸素混合ガスの燃焼火花（Ｃ）は、図１に示したようにその内部に高温の火花の核（Ｎ）が形成されるが、このような火花の核（Ｎ）の温度は３０００〜６０００℃に達する。
【０００４】
しかしながら、飲食物を調理するための容器を成す金属は、融点がほとんど２０００℃前後になるが、水素酸素混合ガス燃焼火花（Ｃ）の火花の核（Ｎ）の温度が３０００〜６０００℃に達するので、その火花の核（Ｎ）の触れる部分はとけるようになる。よって、容器を加熱するのに水素酸素混合ガスの燃焼火花（Ｃ）を使うことが不適合である。さらに、燃焼される花火が棒形状を成すので、広い面積を加熱することができなかったし、これによって燃焼熱を効果的に利用するに限界がある問題点があった。
【発明の概要】
【発明が解決しようとする課題】
【０００５】
本発明は上記のような問題点を解決するために創出されたものであって、水素酸素混合ガスの燃焼火花から火花の核が生成されないようにし、温度を低めると同時に、燃焼体積を大きくすることによって、飲食物を調理する容器を効果的に加熱することができる水素酸素混合ガス燃焼バーナーを提供することを目的とする。
【０００６】
本発明の他の目的は、既存のガスレンジと類似のガス器具を具現することのできる水素酸素混合ガス燃焼バーナーを提供することを目的とする。
【課題を解決するための手段】
【０００７】
上記のような目的を果たすために本発明にかかる水素酸素混合ガス燃焼バーナーは、 外部の酸素が流入されないように水素酸素混合ガスが供給されるガスライン（Ｌ）と密封された構造で連結されるものであり、全体的に円筒状を成す本体部１１と、上記本体部１１の上端の縁に沿って勾配が枠状に形成された燃焼部１２と、上記燃焼部の勾配に一定の間隔を成して形成される複数の火口ホール１３と、上記本体部１１の内部に形成されるものであって、上記ガスライン（Ｌ）を介して流入される水素酸素混合ガスを上記火口ホール１３に分配する分配部１４と、及び上記本体部１１の上部に設けられるものであって、所定の火口ホール１３で燃焼される燃焼火花が他の火口ホールに噴射される混合ガスを着火することができるように媒介の役目をする着火媒体キャップ１７と、を含めて、上記火口ホール１３の直径は０．２ｍｍ〜２ｍｍの範囲であることを特徴とする
【０００８】
本発明において、上記本体部１１及び燃焼部１２は一体になっていて、ステンレス、タングステン、非鉄金属、合金鋼で構成された郡らのうち、いずれか一つを加工して具現される。
【０００９】
本発明において、上記本体部１１の下部側に形成されてガス器具の上板に形成された貫通孔（Ｇ１）にかけられる係止部１６が形成される。
【００１０】
本発明において、上記火口ホール１３は、中心軸を基準とした時５゜〜９０゜の角度範囲内に形成される。
【００１１】
本発明において、上記本体部１１の上部に設けられるものであって、所定の火口ホール１３で燃焼される燃焼火花が他の火口ホールに噴射される混合ガスを着火することができるように媒介の役目をする着火媒体キャップ１７をさらに含む。
【発明の効果】
【００１２】
本発明による水素酸素混合ガス燃焼バーナーによると、燃焼火花の内部に超高温の火花の核が生成されないようにすることと同時に、燃焼火花が成す体積を大きくすることによって、広い面積を加熱するようにでき、飲食物を調理する容器を効果的に加熱することができる。さらに、本発明の燃焼バーナーはガスレンジと類似のガス器具を具現することができるので活用性を高めることができるという作用及び効果がある。
【図面の簡単な説明】
【００１３】
【図１】水素酸素混合ガスを燃消させる時、火花の核が生成されることを説明するための図面。
【図２】本発明による水素酸素混合ガス燃焼バーナーが適用されるガス器具の斜視図
【図３】図２の燃焼バーナーを抜粹して示した斜視図
【図４】図３のＩＶ−ＩＶ'線に沿った断面図
【図５】図４の本体部に着火媒体キャップが設けられたことを説明するための図面
【発明を実施するための形態】
【００１４】
以下、本発明による水素酸素混合ガス燃焼バーナーを添付された図面を参照して詳しく説明する。
【００１５】
図２は本発明による水素酸素混合ガス燃焼バーナーが適用されるガス器具の斜視図であり、図３は図２の燃焼バーナーを抜粹して示した斜視図であり、図４は図３のＩＶ−ＩＶ'線に沿った断面図である。そして、図５は図４の本体部に着火媒体キャップが設けられたことを説明するための図面である。
【００１６】
図示したように、本発明による水素酸素混合ガス燃焼バーナー１０は、調理のための容器が上げられるガス器具（Ｇ）の上板に設けられる。このような燃焼バーナー１０は、外部の酸素が流入されないように水素酸素混合ガスが供給されるガスライン（Ｌ）と、密封された構造で連結されるものであり、全体的に円筒状を成す本体部１１と、本体部１１の上端の縁に沿って勾配が枠状に形成された燃焼部１２と、燃焼部の勾配に一定の間隔を成して形成される複数の火口ホール１３と、本体部１１の内部に形成されるものであって、ガスライン（Ｌ）を介して流入される水素酸素混合ガスを火口ホール１３に分配する分配部１４とを含む。
【００１７】
本体部１１と燃焼部１２は一体になっていて、ステンレス、タングステン、非鉄金属、合金鋼で構成された郡らのうち、いずれか一つを加工して具現される方が好ましい。
【００１８】
本体部１１の下部には、水素酸素混合ガスを供給するガスライン（Ｌ）と連結される連結部１５が形成されている。この際、ガスライン（Ｌ）と連結部１５は、本願の燃焼バーナー外部の酸素が流入されないように密封された結合構造を有する。これは、水を分解する過程において発生された水素酸素混合ガスに酸素が含まれているので、むしろ外部の酸素が流入される場合に安定的な燃焼が良くできないためである。
【００１９】
本体部１１の下部側には、ガス器具の上板に形成された貫通孔（Ｇ１）にかけられる係止部１６が形成されている。係止部１６を形成することによって、本願の燃焼バーナー１０をガス器具に容易に適用することができる。
【００２０】
火口ホール１３は、燃焼部の勾配に沿って一定の間隔を成して形成される。このような火口ホール１３は中心軸を基準とした時、５゜〜９０゜の角度範囲内に形成される。本実試例において火口ホール１３は中心軸に対して４５゜角度を成して形成される。また火口ホール１３の直径は０．２ｍｍ〜２ｍｍの範囲であり、本実試例では１ｍｍである。このような火口ホール１３の個数を増やしたり減らすことによって燃焼火花が発生する熱量の量を異なるようにすることができる。
【００２１】
前記の火口ホール１３は、その直径がｍｍ単位で小さいので、火口ホール１３から噴射される水素酸素混合ガスの噴射圧力が小さく、これによって燃焼中に外部空気と部分的な混合が行われる。すなわち、小さな圧力で噴射される水素酸素混合ガスが空気と部分的に混合して希薄されることによって、燃焼時、図１のような火花の核が生成されなくなる。
【００２２】
分配部１４は、ガスライン（Ｌ）に流入される水素酸素混合ガスを火口ホール１３に分配する。
【００２３】
ここで、重要なことは、混合ガスに酸素が含まれているので燃焼バーナー１０の内部に外部の酸素が流入されてはいけない。よって、分配部１４は本体部１１の内部に形成されて外部とは完全に遮られなければならない。
【００２４】
一方、本体部１１の上部には、所定の火口ホール１３で燃焼される燃焼火花が他の火口ホールに噴射される混合ガスを着火することができるように媒介の役目をする着火媒体キャップ１７が設けられる。このような着火媒体キャップ１７は所定の火口ホール１３で燃焼される燃焼火花を周りに広がるようにする役目をすることによって、他の火口ホールに燃焼火花を伝達するものである。さらに、着火媒体キャップ１７は調理する途中に零れる飲食物が火口ホール１３を塞ぐことを防止することができる。
【００２５】
前記の構造によって、ガスライン（Ｌ）を介して流入される水素酸素混合ガスは、分配部１４に流入された後、火口ホール１３に分配されて噴射される。このように噴射される水素酸素混合ガスは、燃焼火花を形成しながら燃焼熱を発生する。この際、火口ホール１３の直径がｍｍ単位で小さいので、火口ホール１３から噴射される水素酸素混合ガスの噴射圧力は小さく、これによって燃焼中に外部空気と部分的な混合が行われて希薄されることによって、燃焼時、超高温の火花の核が生成されない。
【００２６】
前記の火口ホール１３を介して燃焼される燃焼火花は、燃焼部１２の周りに沿って形成されるので、燃焼火花の成す体積は大きくなり、これによって飲食物を調理するための容器を效果的に加熱することができる。
【００２７】
本発明は図面に示された一実試例を参照に説明されたが、これは例示的なことに過ぎなくて、本技術分野における通常の知識を有する者なら、これにより多様な変形及び均等な他の実試例が可能である点が理解できる。
【符号の説明】
【００２８】
１０：燃焼バーナー      １１：本体部
１２：燃焼部            １３：火口ホール
１４：分配部            １５：連結部
１６：係止部            １７：着火媒体キャップ
【図１】
2010019545.tif 000003
【図２】
2010019545.tif 000004
【図３】
2010019545.tif 000005
【図４】
2010019545.tif 000006
【図５】
2010019545.tif 000007